(57)【要約】  神経刺激が、少なくとも３つの刺激成分を含み、それぞれが、時間的な刺激位相および空間的な刺激極のうちの少なくとも１つを含む。第１の刺激成分は、第３の刺激成分によって送達される第３の電荷と不等である第１の電荷を送達し、第１の電荷および第３の電荷は、記録電極において生じるアーチファクトを低減させるように選択されている。次に、これを活用して、ベクトル検出器の相関遅延を独立して制御し、アーチファクトベクトルを非平行に、または直交にすることができる。
2019525789.tif 000002
【特許請求の範囲】
【請求項１】
神経応答を誘発し、検出する方法であって、
神経応答を誘発するために刺激を印加するステップであって、前記刺激が、少なくとも３つの刺激成分であって、それぞれが時間的な刺激位相および空間的な刺激極のうちの少なくとも１つを含むとともに、第１の刺激成分が、第３の刺激成分によって送達される第３の電荷と不等である第１の電荷を送達し、前記第１の電荷および前記第３の電荷が、記録電極において生じるアーチファクトを低減させるように選択されている刺激成分を含む、ステップと、
前記神経応答の記録を得るために前記記録電極を使用するステップと、
ベクトル検出器で前記記録内の前記神経応答を検出するステップと、
を含み、
前記ベクトル検出器の相関遅延、および前記刺激の前記第１の電荷および前記第３の電荷が、生成されたアーチファクトベクトルを誘発された神経応答ベクトルと非平行にさせる値を有する方法。
【請求項２】
前記第１の電荷と前記第３の電荷との間の不一致が、前記アーチファクトベクトルを前記誘発された神経応答ベクトルと実質的に直交させる、請求項１に記載の方法。
【請求項３】
前記アーチファクトの寄与の零点を求めるために、前記刺激のデューティ比および／または前記相関遅延を適応的に調節するステップをさらに含む、請求項１または請求項２に記載の方法。
【請求項４】
前記刺激成分が刺激位相を含む、請求項１〜３のいずれか一項に記載の方法。
【請求項５】
前記第１の電荷が、第２の電荷の大きさの０．６〜０．９倍の間である、請求項４に記載の方法。
【請求項６】
前記第１の電荷が、前記第２の電荷の前記大きさの約０．７５倍である、請求項５に記載の方法。
【請求項７】
前記ベクトル検出器が、多ローブ整合フィルタテンプレートを利用する、請求項１〜６のいずれか一項に記載の方法。
【請求項８】
前記誘発された応答ベクトルを望ましく位置合わせするように、前記検出器の相関における遅延τを調節するステップをさらに備える、請求項７に記載の方法。
【請求項９】
前記少なくとも３つの刺激成分が、少なくとも３つの刺激電極によって送達される三極刺激の空間的な刺激極を含む、請求項１〜８のいずれか一項に記載の方法。
【請求項１０】
神経刺激を送達するための埋め込み可能なデバイスであって、
少なくとも１つの公称の刺激電極および少なくとも１つの公称の記録電極を備える電極のアレイと、
前記少なくとも１つの公称の刺激電極に刺激を印加させて神経応答を誘発するように構成されたプロセッサであって、前記刺激が、少なくとも３つの刺激成分であって、それぞれが時間的な刺激位相および空間的な刺激極のうちの少なくとも１つを含むとともに、第１の刺激成分が、第３の刺激成分によって送達される第３の電荷と不等である第１の電荷を送達し、前記第１の電荷および前記第３の電荷が、記録電極において生じるアーチファクトを低減させるように選択されている刺激成分を含み、前記少なくとも１つの公称の記録電極に前記神経応答の記録を取得させるようにさらに構成されたプロセッサであり、ベクトル検出器で前記記録内の前記神経応答を検出するようにさらに構成されたプロセッサと、
を備え、
前記ベクトル検出器の相関遅延、および前記刺激の前記第１の電荷および前記第３の電荷が、生成されたアーチファクトベクトルを誘発された神経応答ベクトルと非平行にさせる値を有するデバイス。
【請求項１１】
神経刺激を送達するための非一時的なコンピュータ可読媒体であって、１つまたは複数のプロセッサによって実行されると、以下の、
神経応答を誘発するために刺激を印加するステップであって、前記刺激が、少なくとも３つの刺激成分であって、それぞれが時間的な刺激位相および空間的な刺激極のうちの少なくとも１つを含むとともに、第１の刺激成分が、第３の刺激成分によって送達される第３の電荷と不等である第１の電荷を送達し、前記第１の電荷および前記第３の電荷が、記録電極において生じるアーチファクトを低減させるように選択されている刺激成分を含むステップと、
前記神経応答の記録を得るために前記記録電極を使用するステップと、
ベクトル検出器で前記記録内の前記神経応答を検出するステップと、
の実行をもたらす命令を含み、
前記ベクトル検出器の相関遅延、および前記刺激の前記第１の電荷および前記第３の電荷が、生成されたアーチファクトベクトルを誘発された神経応答ベクトルと非平行にさせる値を有する、非一時的なコンピュータ可読媒体。
【請求項１２】
神経刺激を送達する方法であって、
第１の極性である第１の刺激位相および第３の刺激位相を送達するステップと、
前記第１の刺激位相の後であり、かつ、前記第３の刺激位相の前に、前記第１の極性と反対の第２の極性である第２の刺激位相を送達するステップと、
を含み、
前記第１の位相〜前記第３の位相が、電荷的に平衡であり、かつ、前記第１の刺激位相が、前記第３の刺激位相によって送達される第３の電荷と不等である第１の電荷を送達し、前記第１の電荷および前記第３の電荷が、生じるアーチファクトを低減させるように選択されている方法。
【請求項１３】
記録を処理するためにピーク・トゥ・ピーク検出器が使用される、請求項１２に記載の方法。
【請求項１４】
神経刺激を送達するための埋め込み可能なデバイスであって、
少なくとも１つの公称の刺激電極および少なくとも１つの公称の感知電極を備える電極のアレイと、
前記少なくとも１つの公称の刺激電極に、第１の極性である第１の刺激位相および第３の刺激位相を送達させ、前記第１の極性と反対の第２の極性であるとともに、前記第１の刺激位相の後であり、かつ、前記第３の刺激位相の前に送達される第２の刺激位相を送達させるように構成されたプロセッサと、
を備え、
前記第１の位相〜前記第３の位相が、電荷的に平衡であり、かつ、前記第１の刺激位相が、前記第３の刺激位相によって送達される第３の電荷と不等である第１の電荷を送達し、前記第１の電荷および前記第３の電荷が、前記少なくとも１つの公称の感知電極において生じるアーチファクトを低減させるように選択されているデバイス。
【請求項１５】
神経刺激を送達するための非一時的なコンピュータ可読媒体であって、１つまたは複数のプロセッサによって実行されると、以下の、
第１の極性である第１の刺激位相および第３の刺激位相を送達するステップと、
前記第１の刺激位相の後であり、かつ、前記第３の刺激位相の前に、前記第１の極性と反対の第２の極性である第２の刺激位相を送達するステップと、
の実行をもたらす命令を含み、
前記第１の位相〜前記第３の位相が、電荷的に平衡であり、かつ、前記第１の刺激位相が、前記第３の刺激位相によって送達される第３の電荷と不等である第１の電荷を送達し、前記第１の電荷および前記第３の電荷が、生じるアーチファクトを低減させるように選択されている、非一時的なコンピュータ可読媒体。
【発明の詳細な説明】
【技術分野】
【０００１】
関連出願の相互参照
本出願は、参照により本明細書に組み込まれる２０１６年６月２４日出願のオーストラリア仮特許出願第２０１６９０２４９２号の利益を主張する。
【０００２】
本発明は、神経刺激に関し、特に、生じるアーチファクトの量を低減させて神経刺激を送達し、神経刺激によって誘発される神経応答を記録する作業を容易にするように構成された方法およびデバイスに関する。
【背景技術】
【０００３】
電気的神経調節は、慢性疼痛、パーキンソン病、および片頭痛を含む様々な疾患を治療し、聴覚機能および運動機能といった機能を回復させるために用いられるか、または用いることが意図されている。治療効果をもたらすために、神経調節システムが神経組織に電気パルスを印加する。このようなシステムは通常、埋め込み式電気パルス発生器と、経皮誘導伝導によって再充電可能な場合もあるバッテリなどの電源と、を備える。電極アレイは、パルス発生器に接続され、対象の神経経路に近接して位置決めされる。電極によって神経組織に印加された電気パルスは、ニューロンの脱分極を引き起こし、これにより、逆方向性であれ、順方向性であれ、または両方向性であれ、伝播する活動電位を発生させて、治療効果を実現する。
【０００４】
例えば、慢性疼痛の緩和に用いられる場合、電気パルスは脊髄の後柱（ＤＣ：ｄｏｒｓａｌ  ｃｏｌｕｍｎ）に印加され、電極アレイは背側の硬膜外腔に位置決めされる。このように刺激された後柱線維は、脊髄のその分節から脳への痛みの伝達を阻止する。
【０００５】
概して、神経調節システムにおいて生成された電気的刺激は、抑制効果または興奮効果のいずれかを有する神経活動電位をトリガする。抑制効果を痛みの伝達などの望ましくないプロセスを調整するために用いるか、または、興奮効果を筋肉の収縮または聴神経の刺激などの望ましい効果を生じさせるために用いることができる。
【０００６】
多数の線維間で生成された活動電位を総和して、複合活動電位（ＣＡＰ：ｃｏｍｐｏｕｎｄ  ａｃｔｉｏｎ  ｐｏｔｅｎｔｉａｌ）を形成する。ＣＡＰは、多数の単一の線維活動電位からの応答の総和である。ＣＡＰが電気的に記録される際には、測定は、多数の異なる線維の脱分極の結果を含む。伝播速度は、主として線維直径によって決定され、背根入口帯（ＤＲＥＺ：ｄｏｒｓａｌ  ｒｏｏｔ  ｅｎｔｒｙ  ｚｏｎｅ）および近くの後柱に見られるような大きな有髄線維の場合、速度は６０ｍｓ−１を超える場合がある。同様の線維群の興奮から生成されたＣＡＰは、記録された電位における正のピークＰ１、次いで、負のピークＮ１として測定され、その後に第２の正のピークＰ２が続く。これは、個々の線維に沿って活動電位が伝播するにつれて記録電極を通過する活性化領域によって引き起こされ、典型的な３つのピークを有する応答プロファイルを生成する。刺激極性および感知電極の構成に応じて、ＣＡＰの測定プロファイルによっては、２つの負のピークおよび１つの正のピークを有する逆の極性のものである場合もある。
【０００７】
神経の測定値を得るために提案される手法は、国際公開第２０１２／１５５１８３号パンフレットにおいて本出願人によって記載されており、その内容は、参照により本明細書に組み込まれている。
【発明の概要】
【発明が解決しようとする課題】
【０００８】
神経調節および／または他の神経刺激の効果をより良く理解するために、ならびに、例えば、神経応答フィードバックによって制御される刺激器を提供するために、刺激に起因するＣＡＰを正確に検出し、記録することが望ましい。誘発された応答は、アーチファクトよりも後の時間に現れる場合、または信号対ノイズ比が十分に高い場合には、検出はそれほど難しくはない。アーチファクトは、刺激後１〜２ｍｓの時間に限定される場合が多く、そのため、神経応答がこの時間窓の後に検出されるのであれば、応答測定値を容易に得ることができる。これは、刺激場所から記録電極への伝播時間が２ｍｓを超えるような、刺激電極と記録電極との間に大きな距離（例えば、６０ｍｓ−１で伝導している神経の場合であれば１２ｃｍを超える）がある手術モニタリングにおける場合である。
【０００９】
しかしながら、後柱からの応答を特徴付けするには、高い刺激電流および電極同士が近いことが必要とされる。同様に、どのような埋め込み式神経調節デバイスであっても、必然的に小型になってしまうことにより、このようなデバイスが印加された刺激の効果をモニタリングするためには、刺激電極、および記録電極は必然的に隣接することになる。このような状況では、測定プロセスは、アーチファクトを直接克服しなければならない。しかしながら、神経測定において観察されるＣＡＰ信号成分は、通常マイクロボルトの範囲の最大振幅を有するので、これは困難な作業である場合がある。対照的に、ＣＡＰを誘発するために印加される刺激は通常数ボルトであり、電極アーチファクトをもたらし、この電極アーチファクトは、神経測定においてＣＡＰ信号と部分的にまたは全体的に同時に起こる数ミリボルトの減衰出力として現れ、対象となるはるかに小さいＣＡＰ信号の分離、さらには検出にさえ、著しい障害となっている。
【００１０】
例えば、入力５Ｖの刺激の存在下で１μＶの分解能で１０μＶのＣＡＰを分解するには、例えば、１３４ｄＢのダイナミックレンジを有する増幅器が必要であり、それは、埋め込み式システムでは非実用的である。神経応答は、刺激および／または刺激アーチファクトと同時に起こる可能性があるので、ＣＡＰ測定は、測定増幅器設計の難題となっている。実際上、多くの非理想的な回路の態様は、アーチファクトにつながり、これらの大半が、正または負の極性であり得る減衰する指数関数的外観を有するので、それらの識別および除去は、労力を要する可能性がある。
【００１１】
この問題の難しさは、埋め込み式デバイスにおいてＣＡＰの検出を実施しようとする場合には、さらに悪化する。典型的な埋め込み物は、所望のバッテリ寿命を維持するために、刺激ごとに限られた数の、例えば、何百または数千のプロセッサ命令を可能にする電力予算を有する。それに応じて、埋め込み式デバイス用のＣＡＰ検出器が定期的に（例えば、１秒に１回）使用されることになっている場合には、検出器が電力予算のほんの一部だけを消費するように、注意を払わなければならない。
【００１２】
Ｄａｌｙ（米国特許第８，４５４，５２９号明細書）は、刺激の後に続けて補償パルスを印加することを示唆している。しかしながら、Ｄａｌｙの二相刺激および補償パルスは、ともに電荷的に平衡ではなく、したがって、デバイスと組織との間で正味の電荷移動を生じさせる。
【００１３】
本明細書に含まれている文献、行為、材料、デバイス、物品などの任意の論述は、単に本発明の背景を提供する目的のためのものである。本出願の各請求項の優先日よりも前に存在していたので、これらの事項のいずれか、またはすべてが、先行技術の基礎の一部を形成するか、または本発明に関連する分野における一般常識的知識であったと認めると解釈されるべきではない。
【００１４】
本明細書を通して、「備える（ｃｏｍｐｒｉｓｅ）」という語または「備える（ｃｏｍｐｒｉｓｅｓ）」もしくは「備えている（ｃｏｍｐｒｉｓｉｎｇ）」などの変形は、記載された要素、整数、もしくはステップ、または要素、整数、もしくはステップの群を包含することを示唆し、任意の他の要素、整数、もしくはステップ、または要素、整数、もしくはステップの群を除外することを示唆しないものと理解される。
【００１５】
本明細書では、要素が選択肢の列挙「のうちの少なくとも１つ」であり得るという記述は、その要素は、列挙された選択肢のうちの任意の１つとすることができるか、または列挙された選択肢のうちの、２つ以上の任意の組み合せとすることができると理解されたい。
【課題を解決するための手段】
【００１６】
第１の態様によれば、本発明は、神経応答を誘発し、検出する方法であって、
神経応答を誘発するために刺激を印加するステップであって、この刺激が、少なくとも３つの刺激成分であって、それぞれが時間的な刺激位相および空間的な刺激極のうちの少なくとも１つを含むとともに、第１の刺激成分が、第３の刺激成分によって送達される第３の電荷と不等である第１の電荷を送達し、第１の電荷および第３の電荷が、記録電極において生じるアーチファクトを低減させるように選択されている刺激成分を含むステップと、
神経応答の記録を得るために記録電極を使用するステップと、
ベクトル検出器で記録内の神経応答を検出するステップと、
を含むとともに、
ベクトル検出器の相関遅延、および刺激の第１の電荷および第３の電荷が、生成されたアーチファクトベクトルを誘発された神経応答ベクトルと非平行にさせる値を有する方法を提供する。
【００１７】
第２の態様によれば、本発明は、神経刺激を送達するための埋め込み可能なデバイスであって、
少なくとも１つの公称の刺激電極および少なくとも１つの公称の記録電極を備える電極のアレイと、
少なくとも１つの公称の刺激電極に刺激を印加させて神経応答を誘発するように構成されたプロセッサであって、この刺激が、少なくとも３つの刺激成分であって、それぞれが時間的な刺激位相および空間的な刺激極のうちの少なくとも１つを含むとともに、第１の刺激成分が、第３の刺激成分によって送達される第３の電荷と不等である第１の電荷を送達し、この第１の電荷および第３の電荷が、記録電極において生じるアーチファクトを低減させるように選択されている刺激成分を含み、少なくとも１つの公称の記録電極に神経応答の記録を取得させるようにさらに構成されたプロセッサであり、ベクトル検出器で記録内の神経応答を検出するようにさらに構成されたプロセッサと、
を備えるとともに、
ベクトル検出器の相関遅延、および刺激の第１の電荷および第３の電荷が、生成されたアーチファクトベクトルを誘発された神経応答ベクトルと非平行にさせる値を有するデバイスを提供する。
【００１８】
第３の態様によれば、本発明は、神経刺激を送達するための非一時的なコンピュータ可読媒体であって、１つまたは複数のプロセッサによって実行されると、以下の、
神経応答を誘発するために刺激を印加するステップであって、この刺激が、少なくとも３つの刺激成分であって、それぞれが時間的な刺激位相および空間的な刺激極のうちの少なくとも１つを含むとともに、第１の刺激成分が、第３の刺激成分によって送達される第３の電荷と不等である第１の電荷を送達し、第１の電荷および第３の電荷が、記録電極において生じるアーチファクトを低減させるように選択されている刺激成分を含むステップと、
神経応答の記録を得るために記録電極を使用するステップと、
ベクトル検出器で記録内の神経応答を検出するステップと、
の実行をもたらす命令を含むとともに、
ベクトル検出器の相関遅延、および刺激の第１の電荷および第３の電荷が、生成されたアーチファクトベクトルを誘発された神経応答ベクトルと非平行にさせる値を有する、非一時的なコンピュータ可読媒体を提供する。
【００１９】
本発明の第１の態様から第３の態様は、第１の電荷と第３の電荷との間の不一致またはデューティ比を適切に調節または選択することにより、アーチファクトベクトルを、誘発された神経応答ベクトルと非平行に、より好ましくは、実質的に直交させることが可能であることで、ベクトル検出器の出力に対するアーチファクトの寄与が零点を通過することにより、誘発された神経応答の観察を大幅に改善するようにすることを認識している。
【００２０】
本発明のいくつかの実施形態は、第１の電荷と第３の電荷との間の不一致またはデューティ比について、およびベクトル検出器の相関遅延について静的な事前定義値を利用することができる。しかしながら、他の実施形態は、アーチファクトの寄与の零点を求めるために、刺激のデューティ比および／または相関遅延を適応的に調節することができる。このような適応的実施形態は、記録内で観察されるアーチファクトの低減を、繰り返し、または間断なく最適化するための手段を提供する。
【００２１】
刺激成分が刺激位相を含み、刺激が三相刺激である実施形態では、第１の電荷は、好ましくは第３の電荷を超える。このような実施形態では、第１の電荷は、好ましくは第２の電荷の大きさの０．５１〜０．９９倍の間であり、より好ましくは第２の電荷の大きさの０．６〜０．９倍の間であり、より好ましくは第２の電荷の大きさの０．６５〜０．８倍の間であり、最も好ましくは第２の電荷の大きさの約０．７５倍である。
【００２２】
第１の態様〜第３の態様の実施形態は、任意の適切なベクトル検出器を利用することができる。ベクトル検出器は、例えば、その内容が参照により本明細書に組み込まれる本出願人の国際公開第２０１５０７４１２１号パンフレットの教示による４ローブ（ｆｏｕｒ−ｌｏｂｅ）または５ローブ整合フィルタテンプレートを利用することができる。あるいは、符号付きの出力を生成する検出器は、２ローブまたは３ローブ整合フィルタテンプレートなどの、代替的な整合フィルタテンプレートを利用することができ、ローブは正弦曲線であるか、合成もしくは実測された複合活動電位のプロファイルの２ローブまたは３ローブに整合されるか、またはそれ以外の方法で適切に形作られる。
【００２３】
本発明のいくつかの実施形態は、（例えば、国際公開第２０１５０７４１２１号パンフレットの図７に関連して記載されているように）検出器の相関における遅延τを調節することにより、誘発された応答ベクトルを望ましく位置合わせすることが可能になる一方で、三相刺激の第１の位相と第３の位相との間の不一致またはデューティ比を別々に調節することにより、アーチファクトベクトルに対する独立した制御が可能になることで、誘発された応答ベクトルと非平行に生じるようにアーチファクトベクトルを制御可能であるようにし、より好ましくは、誘発された応答ベクトルと概ね、または実質的に直交するように生じるようにアーチファクトベクトルを制御するようにすることを認識している。
【００２４】
いくつかの実施形態では、少なくとも３つの刺激成分が、２つの刺激電極によって送達される二極刺激の時間的な刺激位相である。追加として、または代替として、少なくとも３つの刺激成分は、３つの刺激電極によって送達される二相三極刺激の空間的な刺激極を含むことができ、各刺激極は、本明細書ではそれぞれの刺激電極と周囲の組織との間の電荷移動を表すものとして定義される。
【００２５】
本発明の第１の態様〜第３の態様のいくつかの実施形態では、刺激は、電荷的に平衡ではない場合があり、正味の電荷差は、適時に１つまたは複数の電極を短絡させて接地することによって受動的に電荷を回収するといったような、代替的な手段によって回収することができる。
【００２６】
第４の態様によれば、本発明は、神経刺激を送達する方法であって、
第１の極性である第１の刺激位相および第３の刺激位相を送達するステップと、
第１の刺激位相の後であり、かつ、第３の刺激位相の前に、第１の極性と反対の第２の極性である第２の刺激位相を送達するステップと、
を含むとともに、
第１の位相〜第３の位相が、電荷的に平衡であり、かつ、第１の刺激位相が、第３の刺激位相によって送達される第３の電荷と不等である第１の電荷を送達し、第１の電荷および第３の電荷が、生じるアーチファクトを低減させるように選択されている方法を提供する。
【００２７】
第５の態様によれば、本発明は、神経刺激を送達するための埋め込み可能なデバイスであって、
少なくとも１つの公称の刺激電極および少なくとも１つの公称の感知電極を備える電極のアレイと、
少なくとも１つの公称の刺激電極に、第１の極性である第１の刺激位相および第３の刺激位相を送達させ、第１の極性と反対の第２の極性であるとともに、第１の刺激位相の後であり、かつ、第３の刺激位相の前に送達される第２の刺激位相を送達させるように構成されたプロセッサと、
を備えるとともに、第１の位相〜第３の位相が、電荷的に平衡であり、かつ、第１の刺激位相が、第３の刺激位相によって送達される第３の電荷と不等である第１の電荷を送達し、第１の電荷および第３の電荷が、少なくとも１つの公称の感知電極において生じるアーチファクトを低減させるように選択されているデバイスを提供する。
【００２８】
第６の態様によれば、本発明は、神経刺激を送達するための非一時的なコンピュータ可読媒体であって、１つまたは複数のプロセッサによって実行されると、以下の、
第１の極性である第１の刺激位相および第３の刺激位相を送達するステップと、
第１の刺激位相の後であり、かつ、第３の刺激位相の前に、第１の極性と反対の第２の極性である第２の刺激位相を送達するステップと、
の実行をもたらす命令を含むとともに、
第１の位相〜第３の位相が、電荷的に平衡であり、かつ、第１の刺激位相が、第３の刺激位相によって送達される第３の電荷と不等である第１の電荷を送達し、第１の電荷および第３の電荷が、生じるアーチファクトを低減させるように選択されている、非一時的なコンピュータ可読媒体を提供する。
【００２９】
第１の刺激位相および第３の刺激位相が、不等である電流振幅、および／または不等である持続時間、および／または不等である形態を有するようにすることによって、第１の電荷は、第３の電荷と不等であるようにすることができる。
【００３０】
本発明の第４の態様〜第６の態様の実施形態では、ピーク・トゥ・ピーク検出器を使用して、記録を処理することができる。ピーク・トゥ・ピーク検出器は、第１の電荷と第３の電荷との間のデューティ比に関係なく零点を通過しないが、それでもなお、第１の電荷と第３の電荷との間のデューティ比を適切に調節することにより、検出器出力の最小を求めることが可能になり、これにより、記録内で生じるアーチファクトを低減させるための手段を提供する。
【００３１】
代替的な実施例では、第１の態様〜第６の態様に記載された刺激は、例えば、ＥＣＡＰ測定が後で望まれる可能性があるときまで、所望の組織の電気的条件を保つために、関連するＥＣＡＰ記録が存在しない状態で送達することができる。
【００３２】
次に、添付の図面を参照して本発明の一例を説明する。
【図面の簡単な説明】
【００３３】
【図１】埋め込み式脊髄刺激器を概略的に図示する。
【図２】埋め込み式神経刺激器のブロック図である。
【図３】埋め込み式刺激器と神経との相互作用を図示する概略図である。
【図４】本発明のいくつかの実施形態による、位相持続時間が不等である三相刺激の電流プロファイルを図示する。
【図５】神経組織への刺激の送達を概略的に図示する。
【図６】検出器の時間遅延および三相刺激のデューティ比を変化させることの効果を図示する。
【図７】検出器の時間遅延および三相刺激のデューティ比を変化させることの効果を図示する。
【図８】可変三相デューティ比の実験的試験の結果を図示する。
【図９】三相刺激に対するピーク・トゥ・ピークアーチファクトを示す。
【図１０ａ】ヒト対象試験において生じた、改善されて低減したアーチファクトを図示する。
【図１０ｂ】ヒト対象試験において生じた、改善されて低減したアーチファクトを図示する。
【図１１ａ】ヒト対象試験において生じた、改善されて低減したアーチファクトを図示する。
【図１１ｂ】ヒト対象試験において生じた、改善されて低減したアーチファクトを図示する。
【図１２】位相持続時間が不等である本発明のいくつかの実施形態を概念化したものを図示する。
【図１３】本発明の他の実施形態による、位相振幅が不等である三相刺激の電流プロファイルを図示する。
【図１４ａ】本発明の別の実施形態による空間的な電極の構成、および三極刺激をそれぞれ図示する。
【図１４ｂ】本発明の別の実施形態による空間的な電極の構成、および三極刺激をそれぞれ図示する。
【図１５】本発明の別の実施形態による四相刺激の派生、および最終形態を図示する。
【図１６】アーチファクトを最小限にするために、刺激波形および／または構成を最適化するためのプロセスを図示する。
【発明を実施するための形態】
【００３４】
図１は、埋め込み式脊髄刺激器１００を概略的に図示する。刺激器１００は、患者の下腹部または上後臀部域の適切な場所に埋め込まれた電子モジュール１１０と、硬膜外腔内に埋め込まれ、適切なリード線によってモジュール１１０に接続された電極アセンブリ１５０と、を備える。埋め込み式神経デバイス１００の動作の多くの態様は、外部制御デバイス１９２によって再構成可能である。さらに、埋め込み式神経デバイス１００はデータを収集する役割を果たし、収集されたデータは外部デバイス１９２に通信される。
【００３５】
図２は、埋め込み式神経刺激器１００のブロック図である。モジュール１１０は、バッテリ１１２および遠隔測定モジュール１１４を含む。本発明の実施形態では、遠隔測定モジュール１１４によって、赤外線（ＩＲ）、電磁気、容量性、および誘導性の伝送などの任意の適切なタイプの経皮的通信１９０を使用して、外部デバイス１９２と電子モジュール１１０との間で電力および／またはデータを伝送することができる。
【００３６】
モジュール制御装置１１６は、患者設定１２０、制御プログラム１２２などを記憶する関連付けされたメモリ１１８を有する。制御装置１１６は、パルス発生器１２４を制御して、患者設定１２０および制御プログラム１２２に従って電流パルスの形で刺激を発生させる。電極選択モジュール１２６は、発生したパルスを電極アレイ１５０の適切な電極に切り替えて、選択された電極を取り囲む組織に電流パルスを送達するようにする。測定回路１２８は、電極選択モジュール１２６によって選択されたときに電極アレイの感知電極で感知された神経応答の測定値を取り込むように構成されている。
【００３７】
図３は、埋め込み式刺激器１００と神経１８０、この場合には脊髄である、との相互作用を図示する概略図であるが、代替的な実施形態は、末梢神経、内臓神経、副交感神経、または脳構造を含む任意の所望の神経組織に隣接して位置決めすることができる。電極選択モジュール１２６は、電極アレイ１５０の刺激電極２を選択して、神経１８０を含む周囲の組織に三相電流パルスを送達するが、他の実施形態は、追加として、または代替として、二相三極刺激を送達することができる。電極選択モジュール１２６は、アレイ１５０の戻り電極４もまた選択して、刺激電流を回収し、正味の電荷移動を零点で維持するようにする。
【００３８】
神経１８０に適切な刺激を送達することにより、治療目的で、図示されているように神経１８０に沿って伝播する複合活動電位を含む神経応答を誘発する。なお、この治療は、慢性疼痛用の脊髄刺激器の場合であれば、所望の場所で知覚異常を生じさせることであってもよい。このために、刺激電極を使用して３０Ｈｚで刺激を送達する。デバイスを適合させるために、臨床医は、ユーザが知覚異常として体感する感覚を生み出す刺激を印加する。知覚異常が、痛みの影響を受けるユーザの身体の部位と一致する場所およびサイズである場合、臨床医は、引き続き使用するための候補としてその構成を指定する。
【００３９】
デバイス１００は、神経１８０に沿って伝播する複合活動電位（ＣＡＰ）の存在および電気的プロファイルを、このようなＣＡＰが電極２および４からの刺激によって誘発されるか、またはそれ以外の方法で誘発されるかに関わらず、感知するようにさらに構成されている。このために、電極選択モジュール１２６によって、アレイ１５０の任意の電極を測定電極６および測定参照電極８として機能するように選択することができる。刺激器のケースを、測定電極もしくは参照電極、または刺激電極として使用してもまたよい。測定電極６および８によって感知された信号は、測定回路１２８に渡され、この測定回路は、例えば、本出願人による国際公開第２０１２１５５１８３号パンフレットの教示に従って動作することができる。この特許文献の内容は、参照により本明細書に組み込まれる。本発明は、図３に示されているような、記録電極が刺激場所に近接している状況では、刺激アーチファクトが複合活動電位の正確な記録を得ることの著しい障害となっているが、信頼できる正確なＣＡＰ記録が、一連の神経調節技術にとっての、目的実現への鍵であることを認識している。
【００４０】
このために、本発明の本実施形態は、生じるアーチファクトを低減させて、このような神経刺激を送達するために、三相および／または三極刺激波形に基づいた方法を提供する。図４は、本発明のいくつかの実施形態において本発明を実施するのに適した三相刺激４００の全般的な電流プロファイルを図示する。刺激４００は、第１の位相における正の電荷移動Ｑ１、および第３の位相における正の電荷移動Ｑ３をそれぞれ送達する。負の電荷移動Ｑ２は、第２の位相において送達される。本発明によれば、刺激４００は電荷的に平衡であり、ゆえに、｜Ｑ２｜＝Ｑ１＋Ｑ３である。本発明によれば、Ｑ１≠Ｑ３であり、Ｑ１およびＱ３のそれぞれの値は、アーチファクトを最小限にするように選択されている。これは、３つの位相をすべて、同じ大きさＩで、ただし、異なる持続時間にわたって送達することによって実現される。この実施形態では、第１の位相の持続時間は、第２の位相の持続時間の０．７５倍であり、ゆえに、Ｑ１＝０．７５Ｑ２である。第３の位相の持続時間は、第２の位相の持続時間の０．２５倍であり、ゆえに、Ｑ３＝０．２５Ｑ２である。本発明者らは、０．７５：０．２５の第１の位相対第３の位相の電荷比が、異なるデバイス間および異なるヒト対象間であっても、Ｑ１およびＱ３について特にロバストな設定であることを証明すると判断した。しかしながら、第１の位相と第３の位相とのデューティ比は、パラメータ０＜α＜１（α≠０．５）、または、好適な実施形態では、０．５＜α＜１を考慮することによって調節することができ、これにより、本発明によれば、Ｑ１＝αＱ２であり、Ｑ３＝（１−α）Ｑ２である。刺激４００の位相間のギャップはそれぞれ、持続時間において調節することもできるし、省略することもできる。
【００４１】
図５は、神経組織への刺激４００の送達を概略的に図示する。第１の実施形態では、電極６および８によって観察された神経応答信号は、制御装置１１６によって、本出願人の国際公開第２０１５０７４１２１号パンフレットに開示されているやり方で、ドット積検出器を使用して処理される。この特許文献の内容は、参照により本明細書に組み込まれる。有益には、このような実施形態は、ドット積検出器が、アーチファクトと検出器との相対位相に応じて正の場合もあれば負の場合もある出力を生成することを認識している。図６および図７に示され、また、国際公開第２０１５０７４１２１号パンフレットにおいて、特にその特許文献の図７に関連してより完全に記載されているように、検出器の時間遅延τを変化させることは、観察された神経応答ベクトルの位相角に影響を及ぼす。本発明はさらに、刺激４００のデューティ比αを変化させることが、検出器出力によって測定されたアーチファクトの位相角に影響を及ぼすことを認識している。したがって、パラメータτおよびαは、神経応答ベクトルの位相角およびアーチファクトベクトルの位相角に対する独立した制御を提供し、図７に示されているように、２つのベクトルの直交する位置決めを求めることが可能である。
【００４２】
図８は、アレイの４つの異なる電極上で観察された、ヒト対象における可変三相デューティ比の実験的試験の結果を図示する。パラメータαは、０．１から０．９まで（図８にＸ軸上のパーセンテージとして示されている）変化し、生じた三相刺激は送達され、４つの電極のそれぞれで観察された神経応答が、国際公開第２０１５０７４１２１号パンフレットに記載のドット積検出器によって処理された。ドット積検出器の出力が図８にプロットされている。ドット積検出器を使用して生成されるアーチファクトの尺度は、同じ出力を生成する等価のＥＣＡＰのピーク・トゥ・ピーク値からなることに留意されたい。図８から、正の刺激の７０％が第１の位相にあれば（すなわちα＝０．７ならば）、アーチファクトは、すべての電極について、ほぼ０であることが明らかになる。さらに、この結果から、リード線の種類、および他の刺激パラメータの変化に対してかなりロバストであることが示される。代替的な実施形態は当然ながら、適宜異なるハードウェアまたはファームウェア設定を補償するために、または必要に応じて患者間で異なる値のαを選択することができる。
【００４３】
第２の実施形態では、電極６および８によって観察される神経応答信号は、ピーク・トゥ・ピーク検出を使用して、制御装置１１６によって処理される。ピーク・トゥ・ピーク検出器は、アーチファクトの正の値だけを生成することができる。図９は、第１のパルスと第３のパルスとの比率の関数としての、三相刺激に対するピーク・トゥ・ピークアーチファクトを示す。ここでも、アレイの４つの異なる感知電極について観察を行い、図９の４つのトレースを生成した。
【００４４】
デューティサイクルが０％である（α＝０）二相波形と比較すると、図９のグラフを外挿することにより、少なくとも４０μＶのアーチファクトが得られると予想される。したがって、可変デューティサイクルの三相刺激は、０．２＜α＜０．７）の範囲にわたるトラフ（ｔｒｏｕｇｈ）を生成し、これは、シナリオによっては役に立つ場合がある。しかしながら、このトラフはピーク値よりもわずか数ｄＢ低いだけであり、ゆえに、図８の実施形態よりも小さい値である。
【００４５】
本発明のいくつかの実施形態のさらなる特定の利点は、パラメータαが他のアーチファクト低減方法と直交し、したがって、このような他の方法と併せて使用することができる点である。これらの他の方法には、交互位相および位相減算など、線形性をベースにした方法が含まれる。
【００４６】
交互位相アーチファクト低減法は、等式Ａ（Ｉ）＝−Ａ（−Ｉ）に依存し、式中、Ａ（Ｉ）は電流Ｉにおけるアーチファクトである。したがって、Ａ（Ｉ）＋Ａ（−Ｉ）＝０であり、ゆえに、ある１つの位相の第１の刺激と後に続く逆位相の刺激に応答して得られる連続的な神経応答測定値は、連続的に得られる応答測定値を減算することによって、アーチファクトを低減することができる。
【００４７】
減算アーチファクト低減法もまた、線形性に依存する。Ａ（Ｉ）＝２．Ａ（Ｉ／２）である。したがって、アーチファクト低減は、ある１つの振幅の第１の刺激、および２倍の振幅の第２の刺激に応答して連続的な神経応答測定値を得ることによってもまた実現するができ、Ａ（Ｉ）−２Ａ（Ｉ／２）＝０である。
【００４８】
線形性の方法により、およそ２０ｄＢのアーチファクト拒絶がもたらされる。従来の神経調節では、二相刺激は、誘発応答を生成するために使用される場合が多い。二相刺激は、刺激と比較して極性が固定されたアーチファクトを生成するので、刺激の極性を反転させるとアーチファクトの極性を反転させる。これは、連続する刺激にわたる平均がアーチファクト電圧を相殺するが、ＥＣＡＰは相殺しない、交互位相刺激をもたらす。これは効果があるが、例えば、ＥＣＡＰのサイズが縮小する、刺激場所が複数であるなど、独自の問題がある。すなわち有効刺激速度が遅くなることは、治療上の刺激１回当たりの電力消費量が大きくなることを意味する。
【００４９】
本発明の方法は、追加として、または代替として、国際公開第２０１５０７４１２１号パンフレットに記載され、また図６〜図８の実施形態において利用されているような、検出に基づくアーチファクト低減法と組み合わせることができる。これらの方法は、４ローブ検出器を使用して、アーチファクトのテイラー展開（Ｔａｙｌｏｒ  ｅｘｐａｎｓｉｏｎ）からＤＣ、一次の項および二次の項を除去した。検出方法により、およそ１６ｄＢのアーチファクト拒絶がもたらされる。
【００５０】
本明細書に記載の可変三相法は、他のこのようなアーチファクト低減技術と組み合わせて使用されると、さらに１３ｄＢのアーチファクト拒絶が得られることが示されている。これらの方法が互いに直交であること、すなわち、それらが併用可能であることが認識されよう。これにより、２０＋１６＋９ｄＢ＝４２ｄＢのアーチファクト除去がもたらされることが見込まれる。これは、脊髄刺激患者において観察された（一般的に大きな）５００ｕＶのアーチファクトを５ｕＶと同等のＥＣＡＰに低減することができる。
【００５１】
さらに別の実施形態では、パラメータαは適応的に検証することができ、必要に応じて時々、またはある期間にわたって実質的に連続的に調節することができる。このような実施形態では、三相刺激が治療電流の半分で送達され、これにより、システムは、ＥＣＡＰが誘発されない状態で検出器出力においてアーチファクトを測定することが可能になる。これにより、システムは、デューティサイクルを動的に調節して、特定の状況のために最適化された、アーチファクトが存在しない状態を見つけ出すことが可能になる。これにより、線形性の技術を介して相殺するための逆位相信号を提供するために、逆位相三相刺激をリクルートメント閾値以下で送達することもまた可能になる。
【００５２】
図８の実施形態は、国際公開第２０１５０７４１２１号パンフレットに記載の４ローブ整合フィルタテンプレートを利用したが、本発明の代替的な実施形態は、２ローブおよび３ローブ整合フィルタドット積検出器を含む任意の適切なドット積検出器を使用してもよいことに留意されたい。このような実施形態は、４ローブドット積検出器よりもホワイトノイズまたは非アーチファクトノイズの拒絶に優れている可能性があるので、場合によっては望ましい場合さえある。
【００５３】
図１０〜１１は、脊髄刺激器が図８の実施形態を利用している、単一のヒト対象から得られたデータを図示する。図１０ａでは、６ｍＡの刺激電流において、対象の着座時に得られた神経測定値で観察されたアーチファクトは、本発明による三相刺激によってかなり低減されていることがわかる。図１０ｂは、同じヒト対象についての三相刺激（１００２）および二相刺激（１００４）両方の場合の、入力刺激電流の変化０〜８ｍＡに対してプロットされた、観察された神経応答振幅を示す。約６ｍＡ未満では、複合活動電位が誘発されておらず、観察された信号はアーチファクトだけを含み、二相刺激の結果は、デューティ比が調節された本発明による三相刺激の結果よりも明らかにずっと悪く（大きく）なっている。さらに、剌激閾値は、これを超えると印加された刺激によって複合活動電位が誘発されるので、ほとんどの神経調節用途にとって重要なパラメータである。剌激閾値は、およそ６ｍＡの刺激電流において、本発明によって提供されるプロット１００２のニーポイント（ｋｎｅｅｐｏｉｎｔ）としてはっきりと現れているが、二相の結果１００４では、見分けることがはるかに困難であるか、または不可能である。加えて、多くの神経調節用途における別の重要なパラメータである、刺激閾値上成長曲線の勾配がノイズによって受ける影響は、プロット１００２における方が、１００４におけるよりもはるかに少ない。
【００５４】
図１１ａおよび図１１ｂは、対象の仰臥時に得られたデータについて、図１０に対応する。ここでも、デューティ比が調節された本発明の三相刺激によって、著しいアーチファクト低減がはっきりともたらされている。
【００５５】
理論によって限定されることを意図するものではないが、図１２に示されるように、三相刺激は、２つの連続した二相刺激になぞらえるか、または、２つの連続した二相刺激であるとして概念化することができる。ゆえに、アーチファクトは、個々の刺激のアーチファクトの電気的な総和とする。時間遅延（ｔ１−ｔ２）のために、等しい二相刺激から発生する場合には、アーチファクト波形は相殺されない。本発明は、生成時に正および負のアーチファクトの寄与分ａ１およびａ２のサイズを不等であるようにするが、時間遅延（ｔ１−ｔ２）がａ１のある程度の減衰をもたらすと、それらを相殺させることを意図して、２つの二相波形に、不等であるパルス幅、および／または不等である振幅、および／または任意の他の適切な特性の不一致を与えるものであると考えることができる。
【００５６】
図１２に示されている可変比率の三相刺激の概念化は、第２の位相が、位相間のギャップがない持続時間が不等である２つの位相であると考えられ、やはり本発明の範囲内にあるさらなる一連の実施形態を示唆する。このような実施形態では、第２の位相を２つの位相に効果的に分割するために、位相間のギャップが導入される。このような実施形態は、したがって、４つ以上の位相を含む刺激波形を含む。４つの位相の刺激の場合には、このような実施形態における各位相によって送達される電荷は、例えば、図１２で直接示唆されているように、それぞれ、α、−α、−（１−α）、＋（１−α）であるように構成することが可能であろう。しかしながら、４つの位相を使用することにより、各位相によって送達される電荷の他の変動が可能になり、その結果、もっと一般的に言えば、各位相によって送達される電荷は、それぞれ＋ＸμＣ、−ＹμＣ、−ＺμＣおよび＋（Ｙ＋Ｚ−Ｘ）μＣを含むことが可能であり、各位相は、それぞれが任意の適切な値である短い位相間のギャップによって隣接した位相から時間的に分離される。また、このような実施形態は、α、Ｘ、ＹおよびＺの値が、必要な電荷の平衡および記録電極が受けるアーチファクトの低減を達成するように選択されているのであれば、本発明の範囲内である。
【００５７】
図１３に示されているさらに別の実施形態を考慮すると、パルス幅ではなく波形の振幅を調節することによってもまた、適切な三相波形を生成することができることに留意されたい。図１３の刺激波形は、図１２と同様に、反対のアーチファクトを有することになる２つの二相波形の総和であることがわかる。振幅ａおよびｂを調節することによって、（ａ＋ｂ）を所望の治療効果の実現に必要な電荷で保ちながら、２つの副成分のアーチファクトの項は、図１２に示されるように、相応のやり方で相殺されることが予想される。
【００５８】
さらに他の実施形態では、図１３の不等位相振幅手法は、図４および１２の不等位相持続時間振幅手法と組み合わせることができることを認識されたい。
【００５９】
さらに他の実施形態では、三極刺激は、図１４ａおよび図１４ｂに示されるやり方で印加することができる。図１４ａに示されているように、電極の空間的位置決めは、図１４ｂに示されるように適切に構成された電流パルスによって活用することが可能である。電極２および３上の波形は、極性が反対のアーチファクトを有することになる。ここでも、振幅ａおよびｂを調節することにより、（ａ＋ｂ）を必要な電荷で保ちながら、２つの副成分のアーチファクトの項は、ある点において空間的に相殺されることが予想され、記録電極の既知の近くの場所でアーチファクトを優先的に相殺するように構成することが可能である。
【００６０】
図１５は、本発明の別の実施形態に従ってさらに別の刺激波形を産出するために、本発明の原理の応用を図示する。この実施形態では、四相刺激が２つの成分、すなわち、正の第１の二相パルス、および長い位相間のギャップを含む負の第１の二相パルスから作り出される。正の第１の二相パルス成分は、神経刺激を生じさせる。負の第１の二相パルス成分は、神経応答を誘発しないという点で、刺激をもたらさない。しかしながら、負の第１の二相パルスは、第２の位相によって支配されるアーチファクトを導入し、それは、４つの位相すべての相対的な電荷が適切に選択されると、図１２に示されるような相応のやり方で正の第１の二相成分から生じるアーチファクトを相殺する。
【００６１】
図１６は、アーチファクトを最小限にするために、刺激波形および／または構成を最適化するためのプロセス１６００を図示する。１６１０において、神経応答が誘発されず、測定に寄与しないことを確実にするために、神経リクルートメントの閾値未満で刺激を印加する。１６２０において、刺激に起因するアーチファクトを測定し、記録する。１６４０において、第１の刺激成分と第３の刺激成分との間の比率を調節し、第１の刺激成分と第３の刺激成分との間の比率の所望の範囲を探査するために、ステップ１６１０および１６２０を所望の回数繰り返す。例えば、比率は、０から１まで０．０１刻みで調節してもよい。ステップ１６３０が、第１の刺激成分と第３の刺激成分との間の比率の所望の範囲が探査されたと判断すると、プロセスはステップ１６５０に進み、そこで、アーチファクトの最小がすべての記録から識別される。次に、その最小のアーチファクトを生じさせた比率を、閾値を超える治療レベルで進行中の刺激に対して採用する。同様の手法は、単相、二相、三相または四相以上の刺激を送達しているかどうかにかかわらず、単極、二極、三極または四極以上の刺激構成において、それぞれの位相によって、および／またはそれぞれの電極によって送達される電荷などの、任意のまたはすべての刺激成分の最適な比率を識別するために用いることができ、かつ／または刺激位相振幅、刺激位相幅、および刺激パルス波形の最適な比率を識別するために用いることができる。プロセス１６００、またはその適切な適合は、埋め込み後デバイスプログラミング段階の間に一回、または臨床的入力の機会にのみといったような静的ベースで、このような最適な比率を識別するデバイス１９２によって実行または制御することができる。あるいは、プロセス１６００、またはその適切な適合は、このような最適な比率をデバイスの動作全体にわたって動的に、または継続的に適切な時点で識別するために、デバイス１９２または臨床医の関与なしに、事前のプログラムまたは入力要求ベースで制御装置１１６によって実行することができる。プロセス１６００の実行に適したこのような時点は、デバイス１１０が、埋め込みの受容者の姿勢変化などの刺激条件の変更を検出する都度とすることができる。
【００６２】
特許請求され、記載されている電子機能は、プリント回路基板上に装着された個別部品によって、集積回路の組み合わせによって、または特定用途向け集積回路（ＡＳＩＣ）によって実施することができる。
【００６３】
広く記載される本発明の趣旨または範囲から逸脱せずに、特定の実施形態に示されているような、本発明に対する多くの変形形態および／または変更形態をなし得ることは、当業者の理解するところである。例えば、図４は、第１の位相および第３の位相の持続時間を変更することによる三相デューティ比の調節を図示するが、このような調節は、追加として、または代替として、位相電流振幅を変更することにより行うことができる。さらに、三相刺激は、示されているような矩形の位相を含んでもよいし、あるいは正弦曲線の、階段状の、三角形の、もしくは任意の他の適切なプロファイルの位相を含んでもよい。三相、三極および四相刺激の範囲を説明しているが、本発明に記載の原理は、それでもなおアーチファクトを低減するという目的を実現する、もっと多数の位相または極を有する刺激を作り出すように適合および適用することができ、このような刺激もまた本発明の範囲内であることを認識されたい。また特に、本明細書で定義されるような第１の刺激成分は、多相刺激の他の成分の時間的に後に生じる刺激成分を包含すると理解され、また、本明細書で定義されるような第３の刺激成分は、第１の刺激成分の前に発生する、それと同時に存在する、またはその後に発生する可能性がある刺激成分を包含すると理解されるものとする。さらに、本明細書で定義されるような第１の刺激成分および第３の刺激成分は、第１の刺激成分と第３の刺激成分との間に物理的または時間的に介在する０、１または複数の他の刺激成分を有する刺激成分を包含するとさらに理解されるものとする。したがって、本実施形態は、すべての点において限定でも制限でもなく、例示として見なされるものである。
【図１】
2019525789.tif 000003
【図２】
2019525789.tif 000004
【図３】
2019525789.tif 000005
【図４】
2019525789.tif 000006
【図５】
2019525789.tif 000007
【図６】
2019525789.tif 000008
【図７】
2019525789.tif 000009
【図８】
2019525789.tif 000010
【図９】
2019525789.tif 000011
【図１０ａ】
2019525789.tif 000012
【図１０ｂ】
2019525789.tif 000013
【図１１ａ】
2019525789.tif 000014
【図１１ｂ】
2019525789.tif 000015
【図１２】
2019525789.tif 000016
【図１３】
2019525789.tif 000017
【図１４ａ】
2019525789.tif 000018
【図１４ｂ】
2019525789.tif 000019
【図１５】
2019525789.tif 000020
【図１６】
2019525789.tif 000021
【国際調査報告】
2019525789.tif 000022
2019525789.tif 000023
2019525789.tif 000024
2019525789.tif 000025
2019525789.tif 000026